(57)【要約】【課題】不要信号を除去して、受信信号の周波数算出およびパルス分析にあたって必要な信号に対してだけ算出し、不要信号に対する算出処理および算出時間を削減するチャネライズド受信機を得る。【解決手段】複数のＡ／Ｄ変換回路３および周波数算出回路５間に設けられ、複数のＡ／Ｄ変換回路３により各々変換されたデジタル信号のうちの通過信号レベルを満たさないデジタル信号を除去する複数の不要信号除去回路４と、受信波を広帯域で検波するログアンプ７ａ、広帯域の検波信号をアナログ・デジタル変換するＡ／Ｄ変換回路７ｂ、変換されたデジタル信号の最大信号レベルを求める最大レベル検出回路７ｃ、最大信号レベルから予め設定された固定値のレベル差を差し引いた通過信号レベルを設定し、複数の不要信号除去回路４に供給する通過レベル算出回路７ｄから構成された通過信号レベル設定回路７とを備えたものである。【選択図】        図１
2004251655.tif 000002
【特許請求の範囲】
【請求項１】
中心周波数の異なるものから各々構成され、受信波を濾波する複数のバンドパスフィルタと、
上記複数のバンドパスフィルタを各々通過した通過波を検波する複数の検波回路と、
上記複数の検波回路により各々検波された検波信号をアナログ・デジタル変換する複数のアナログ・デジタル変換回路と、
上記複数のアナログ・デジタル変換回路により各々変換されたデジタル信号のうちの通過信号レベルを満たさないデジタル信号を除去する複数の不要信号除去回路と、
上記複数の不要信号除去回路を通過したデジタル信号のうちの極大信号レベルを有するデジタル信号を決定し、その極大信号レベルを有するデジタル信号に基づいて受信信号の周波数を算出する周波数算出回路と、
上記周波数算出回路により決定された極大信号レベルを有するデジタル信号および算出された受信信号の周波数に基づいて受信信号をパルス分析するパルス分析回路と、
受信波を広帯域で検波すると共にその検波信号の最大信号レベルを求め、その最大信号レベルから設定されたレベル差を差し引いた通過信号レベルを設定し、上記複数の不要信号除去回路に供給する通過信号レベル設定回路とを備えたチャネライズド受信機。
【請求項２】
通過信号レベル設定回路は、固定値のレベル差に応じて通過信号レベルを設定することを特徴とする請求項１記載のチャネライズド受信機。
【請求項３】
通過信号レベル設定回路は、受信毎に任意に可変されるレベル差に応じて通過信号レベルを設定することを特徴とする請求項１記載のチャネライズド受信機。
【請求項４】
通過信号レベル設定回路は、各不要信号除去回路毎に任意に個別設定されるレベル差に応じて通過信号レベルを設定することを特徴とする請求項１記載のチャネライズド受信機。
【請求項５】
中心周波数の異なるものから各々構成され、受信波を濾波する複数のバンドパスフィルタと、
上記複数のバンドパスフィルタを各々通過した通過波を検波する複数の検波回路と、
上記複数の検波回路により各々検波された検波信号をアナログ・デジタル変換する複数のアナログ・デジタル変換回路と、
上記複数のアナログ・デジタル変換回路により各々変換されたデジタル信号のうちの通過信号レベル範囲を満たさないデジタル信号を除去する複数の不要信号除去回路と、
上記複数の不要信号除去回路を通過したデジタル信号のうちの極大信号レベルを有するデジタル信号を決定し、その極大信号レベルを有するデジタル信号に基づいて受信信号の周波数を算出する周波数算出回路と、
上記周波数算出回路により決定された極大信号レベルを有するデジタル信号および算出された受信信号の周波数に基づいて受信信号をパルス分析するパルス分析回路と、
通過信号レベル範囲を設定し、上記複数の不要信号除去回路に供給する通過信号レベル設定回路とを備えたチャネライズド受信機。
【発明の詳細な説明】
【０００１】
【発明の属する技術分野】
この発明は、例えば、レーダ等に用いられ、同時に入力された受信信号の中から不要信号を除去するチャネライズド受信機に関するものである。
【０００２】
【従来の技術】
従来のチャネライズド受信機としては、中心周波数の異なるものから各々構成され、受信波を濾波する複数のＳＡＷフィルタと、複数のＳＡＷフィルタを各々通過した通過波を検波する複数のログアンプと、複数のログアンプにより各々検波された検波信号をＡ／Ｄ変換する複数のＡ／Ｄ変換回路と、複数のＡ／Ｄ変換回路により各々変換されたデジタル信号のうちの極大信号レベルを有するデジタル信号を決定し、その極大信号レベルを有するデジタル信号に基づいて受信信号の周波数を算出する周波数算出回路と、周波数算出回路により決定された極大信号レベルを有するデジタル信号および算出された受信信号の周波数に基づいて受信信号をパルス分析（パルス幅・パルス到来時刻の算出）するパルス分析回路とを備え、そのパルス分析結果から受信信号を復調したり、受信されたパルスがいずれの送信機から送信されたものであるかを識別するものがある（下記特許文献１に記載）。
【０００３】
【特許文献１】
特開２０００−２７８１６２公報
【０００４】
【発明が解決しようとする課題】
従来のチャネライズド受信機は以上のように構成されているので、周波数の異なる複数の受信波が同時に入力されても、複数の極大信号レベルから各々の受信信号の周波数の算出およびパルス分析が可能となる特徴を持っている。しかしながら、本来分析しようとしている受信信号以外の不要信号が入力された場合も、その周波数の算出およびパルス分析を行ってしまうため、余分な受信処理および処理時間が生じてしまう課題があった。
【０００５】
この発明は上記のような課題を解決するためになされたもので、不要信号を除去して、受信信号の周波数算出およびパルス分析にあたって必要な信号に対してだけ算出し、不要信号に対する算出処理および算出時間を削減するチャネライズド受信機を得ることを目的とする。
【０００６】
【課題を解決するための手段】
この発明に係るチャネライズド受信機は、複数のアナログ・デジタル変換回路および周波数算出回路間に設けられ、複数のアナログ・デジタル変換回路により各々変換されたデジタル信号のうちの通過信号レベルを満たさないデジタル信号を除去する複数の不要信号除去回路と、受信波を広帯域で検波すると共にその検波信号の最大信号レベルを求め、その最大信号レベルから設定されたレベル差を差し引いた通過信号レベルを設定し、複数の不要信号除去回路に供給する通過信号レベル設定回路とを備えたものである。
【０００７】
【発明の実施の形態】
以下、この発明の実施の一形態を説明する。
実施の形態１．
図１はこの発明の実施の形態１によるチャネライズド受信機を示すブロック図であり、図において、チャネルＣＨ０〜ＣＨｎのＳＡＷ（Ｓｕｒｆａｃｅ  Ａｃｏｕｓｔｉｃ  Ｗａｖｅ）フィルタ（バンドパスフィルタ）１は、中心周波数の異なるものから各々構成され、受信波を濾波するものである。ログアンプ（検波回路）２は、ＳＡＷフィルタ１に各々接続され、ＳＡＷフィルタ１を各々通過した通過波を検波するものである。Ａ／Ｄ変換回路（アナログ・デジタル変換回路）３は、ログアンプ２に各々接続され、ログアンプ２により各々検波された検波信号をアナログ・デジタル変換するものである。不要信号除去回路４は、Ａ／Ｄ変換回路３に各々接続され、Ａ／Ｄ変換回路３により各々変換されたデジタル信号のうちの通過信号レベルを満たさないデジタル信号を除去するものである。周波数算出回路５は、不要信号除去回路４を通過したデジタル信号のうちの極大信号レベルを有するデジタル信号を決定し、その極大信号レベルを有するデジタル信号と隣接するデジタル信号とのレベル差に基づいて受信信号の周波数を算出するものである。パルス分析回路６は、周波数算出回路５により決定された極大信号レベルを有するデジタル信号および算出された受信信号の周波数に基づいて受信信号のパルス分析するものである。
通過信号レベル設定回路７は、受信波を広帯域で検波するログアンプ７ａ、ログアンプ７ａにより検波された広帯域の検波信号をアナログ・デジタル変換するＡ／Ｄ変換回路７ｂ、Ａ／Ｄ変換回路７ｂにより変換されたデジタル信号の最大信号レベルを求める最大レベル検出回路７ｃ、最大レベル検出回路７ｃにより求められた最大信号レベルから予め設定された固定値のレベル差を差し引いた通過信号レベルを設定し、複数の不要信号除去回路４に供給する通過レベル算出回路７ｄから構成されたものである。
【０００８】
次に動作について説明する。
図１において、チャネルＣＨ０〜ＣＨｎのＳＡＷフィルタ１からなるＳＡＷフィルタバンクは、全体で所望の受信波が受信可能になるように帯域が設定されている。受信波がチャネルＣＨ０〜ＣＨｎの各ＳＡＷフィルタ１に入力されると、各チャネルから出力される通過波は、各ＳＡＷフィルタ１の通過特性により出力レベルに差が生じて出力される。ＳＡＷフィルタ１を各々通過した通過信号をログアンプ２で検波後、Ａ／Ｄ変換回路３により、アナログ・デジタル変換される。
一方、通過信号レベル設定回路７では、受信波がログアンプ７ａにより広帯域で検波され、Ａ／Ｄ変換回路７ｂにより広帯域の検波信号がアナログ・デジタル変換され、最大レベル検出回路７ｃによりデジタル信号の最大信号レベルが求められる。
図２はこの発明の実施の形態１による通過信号レベルによる不要信号の除去処理を示す説明図であり、実際にはチャネルＣＨ０〜ＣＨｎに出力信号が現れるが、説明を簡単にするためにチャネルＣＨ１、ＣＨ５、ＣＨｎ−１だけの出力信号を示したものである。
この図２に示すように、通過レベル算出回路７ｄにおいて、入力される最大信号レベルから予め設定された固定値のレベル差を差し引いた通過信号レベルが求められ、各不要信号除去回路４に供給される。各不要信号除去回路４では、各Ａ／Ｄ変換回路３により各々変換されたデジタル信号のレベルと、一律に設定された通過信号レベルとが比較され、各々変換されたデジタル信号のうち通過信号レベルを満たさないデジタル信号、すなわち不要信号が除去される。なお、この図２の場合はチャネルＣＨ５が除去される。
このように、所望の受信波と共に他の受信波が同時に受信される場合であっても、通過信号レベルを設定することによって、所望の受信波に関する信号だけを通過させ、他の受信波に関する不要信号を除去することができる。例えば、レーダ等において、自分の送信機による受信波に関する信号だけを通過させ、他の送信機による受信波に関する不要信号を除去することができる。
周波数算出回路５では、不要信号除去回路４を通過したデジタル信号に対して各チャネルのレベルを比較して極大信号レベルのデジタル信号を決定し、その決定した極大信号レベルのデジタル信号とそれら隣接するデジタル信号とのレベル差に基づいて受信信号の周波数を算出し、パルス分析回路６では、周波数算出回路５により決定された極大信号レベルのデジタル信号および算出された受信信号の周波数に基づいて受信信号のパルス分析（パルス幅、パルス到来時刻を算出）する。そして、そのパルス分析結果から受信信号の復調等を行う。
【０００９】
以上のように、この実施の形態１によれば、複数の不要信号除去回路４により、複数のＡ／Ｄ変換回路３により各々変換されたデジタル信号のうちの通過信号レベルを満たさないデジタル信号を除去してから周波数算出回路５に供給するので、周波数算出回路５およびパルス分析回路６では、受信信号の周波数算出およびパルス分析にあたって必要な信号に対してだけ算出すれば良く、不要信号に対する算出処理および算出時間を削減することができる。
通過信号レベル設定回路７において、受信信号の最大信号レベルと、予め設定された固定値のレベル差とに応じて、レベル差情報を受信することなく容易に通過信号レベルを設定することができる。
【００１０】
実施の形態２．
図３はこの発明の実施の形態２によるチャネライズド受信機を示すブロック図であり、図において、通過信号レベル設定回路７は、ログアンプ７ａ、Ａ／Ｄ変換回路７ｂ、最大レベル検出回路７ｃ、通過レベル算出回路７ｅから構成され、通過レベル算出回路７ｅは、最大レベル検出回路７ｃにより求められた最大信号レベルから受信波の受信毎に可変されるレベル差を差し引いた通過信号レベルを設定し、複数の不要信号除去回路４に供給するものである。
その他の構成については図１と同等である。
【００１１】
次に動作について説明する。
通過信号レベル設定回路７には、受信波の受信毎に可変されたレベル差からなるレベル差情報が入力される。
図４はこの発明の実施の形態２による通過信号レベルによる不要信号の除去処理を示す説明図であり、この図４に示すように、通過レベル算出回路７ｅにおいて、入力される最大信号レベルから、受信波の受信毎に可変されたレベル差情報に応じたレベル差を差し引いた通過信号レベルが求められ、各不要信号除去回路４に供給される。各不要信号除去回路４では、各Ａ／Ｄ変換回路３により各々変換されたデジタル信号のレベルと、受信波の受信毎に可変され設定された通過信号レベルとを比較し、各々変換されたデジタル信号のうち通過信号レベルを満たさないデジタル信号、すなわち不要信号を除去する。この図４の場合は受信波の受信毎にチャネルＣＨ３が除去されたり除去されなかったりしている。
【００１２】
以上のように、この実施の形態２によれば、上記実施の形態１と同様に周波数算出回路５およびパルス分析回路６では、受信信号の周波数算出およびパルス分析にあたって必要な信号に対してだけ算出すれば良く、不要信号に対する算出処理および算出時間を削減することができる。
通過信号レベル設定回路７において、受信信号の最大信号レベルと、受信波の受信毎に可変されたレベル差情報に応じたレベル差とに応じて、通過信号レベルを設定し、受信波の受信毎に任意な通過信号レベルを設定することができる。
【００１３】
実施の形態３．
図５はこの発明の実施の形態３によるチャネライズド受信機を示すブロック図であり、図において、通過信号レベル設定回路７は、ログアンプ７ａ、Ａ／Ｄ変換回路７ｂ、最大レベル検出回路７ｃ、通過レベル算出回路７ｆから構成され、通過レベル算出回路７ｆは、最大レベル検出回路７ｃにより求められた最大信号レベルから各チャネルＣＨの不要信号除去回路４毎に個別に設定されるレベル差を差し引いた通過信号レベルを設定し、各不要信号除去回路４に供給するものである。
その他の構成については図１と同等である。
【００１４】
次に動作について説明する。
通過信号レベル設定回路７には、各チャネルＣＨの不要信号除去回路４毎に個別に設定されるレベル差からなるレベル差情報が入力される。なお、このレベル差情報は、所望のチャネルＣＨの出力信号が得られ、他のチャネルＣＨの出力信号が除去されるように設定されるものである。
図６はこの発明の実施の形態３による通過信号レベルによる不要信号の除去処理を示す説明図であり、この図６に示すように、通過レベル算出回路７ｆにおいて、入力される最大信号レベルから、各チャネルＣＨの不要信号除去回路４毎に個別に設定されるレベル差情報に応じたレベル差を差し引いた通過信号レベルが求められ、各不要信号除去回路４に供給される。各不要信号除去回路４では、各Ａ／Ｄ変換回路３により各々変換されたデジタル信号のレベルと、各自の不要信号除去回路４毎に個別に設定された通過信号レベルとを比較し、各々変換されたデジタル信号のうち通過信号レベルを満たさないデジタル信号、すなわち不要信号を除去する。この図６の場合はチャネルＣＨ５が除去されず、チャネルＣＨｎ−１が除去されている。
なお、レベル差情報は、１回目の受信において設定することなく、全チャネルＣＨの出力信号をモニタし、２回目からの受信において所望のチャネルＣＨの出力信号だけが得られるように設定するようにしても良い。
【００１５】
以上のように、この実施の形態３によれば、上記実施の形態１と同様に周波数算出回路５およびパルス分析回路６では、受信信号の周波数算出およびパルス分析にあたって必要な信号に対してだけ算出すれば良く、不要信号に対する算出処理および算出時間を削減することができる。
通過信号レベル設定回路７において、受信信号の最大信号レベルと、各チャネルＣＨの不要信号除去回路４毎に個別に設定されたレベル差とに応じて、通過信号レベルを設定し、各チャネルＣＨの不要信号除去回路４毎に個別に通過信号レベルを設定することができる。
【００１６】
実施の形態４．
図７はこの発明の実施の形態４によるチャネライズド受信機を示すブロック図であり、図において、通過信号レベル設定回路７は、通過レベル算出回路７ｇから構成され、通過レベル算出回路７ｇは、受信波の受信毎に可変されるレベル範囲情報に応じて通過信号レベル範囲を設定し、複数の不要信号除去回路４に供給するものである。
その他の構成については図１と同等である。
【００１７】
次に動作について説明する。
通過信号レベル設定回路７には、受信波の受信毎に可変されたレベル範囲からなるレベル範囲情報が入力される。なお、このレベル範囲情報は、所望のチャネルＣＨの出力信号が得られ、他のチャネルＣＨの出力信号が除去されるように設定されるものである。
図８はこの発明の実施の形態４による通過信号レベル範囲による不要信号の除去処理を示す説明図であり、この図８に示すように、通過レベル算出回路７ｇにより受信波の受信毎に可変されたレベル範囲情報に応じた通過信号レベル範囲を設定し、各不要信号除去回路４に供給される。各不要信号除去回路４では、各Ａ／Ｄ変換回路３により各々変換されたデジタル信号のレベルと、受信波の受信毎に可変され設定された通過信号レベル範囲とを比較し、各々変換されたデジタル信号のうち通過信号レベル範囲を満たさないデジタル信号、すなわち不要信号を除去する。この図８の場合はチャネルＣＨｎ−１が除去されず、チャネルＣＨ１とＣＨ３とが除去されている。
なお、レベル範囲情報は、１回目の受信において設定することなく、全チャネルＣＨの出力信号をモニタし、２回目からの受信において所望のチャネルＣＨの出力信号だけが得られるように設定するようにしても良い。
【００１８】
以上のように、この実施の形態４によれば、上記実施の形態１と同様に周波数算出回路５およびパルス分析回路６では、受信信号の周波数算出およびパルス分析にあたって必要な信号に対してだけ算出すれば良く、不要信号に対する算出処理および算出時間を削減することができる。
通過信号レベル設定回路７において、受信波の受信毎に可変されたレベル範囲情報に応じて、通過信号レベル範囲を設定し、通過信号レベル設定回路７においては、ログアンプ７ａ、Ａ／Ｄ変換回路７ｂ、および最大レベル検出回路７ｃを設けることなく、簡単な構成で通過信号レベル範囲を設定することができる。
【００１９】
【発明の効果】
以上のように、この発明によれば、複数の不要信号除去回路により、複数のアナログ・デジタル変換回路により各々変換されたデジタル信号のうちの通過信号レベルを満たさないデジタル信号を除去してから周波数算出回路に供給するので、周波数算出回路およびパルス分析回路では、受信信号の周波数算出およびパルス分析にあたって必要な信号に対してだけ算出すれば良く、不要信号に対する算出処理および算出時間を削減することができる効果がある。
【図面の簡単な説明】
【図１】この発明の実施の形態１によるチャネライズド受信機を示すブロック図である。
【図２】この発明の実施の形態１による通過信号レベルによる不要信号の除去処理を示す説明図である。
【図３】この発明の実施の形態２によるチャネライズド受信機を示すブロック図である。
【図４】この発明の実施の形態２による通過信号レベルによる不要信号の除去処理を示す説明図である。
【図５】この発明の実施の形態３によるチャネライズド受信機を示すブロック図である。
【図６】この発明の実施の形態３による通過信号レベルによる不要信号の除去処理を示す説明図である。
【図７】この発明の実施の形態４によるチャネライズド受信機を示すブロック図である。
【図８】この発明の実施の形態４による通過信号レベル範囲による不要信号の除去処理を示す説明図である。
【符号の説明】
１  ＳＡＷフィルタ（バンドパスフィルタ）、２  ログアンプ（検波回路）、３  Ａ／Ｄ変換回路（アナログ・デジタル変換回路）、４  不要信号除去回路、５  周波数算出回路、６  パルス分析回路、７  通過信号レベル設定回路、７ａログアンプ、７ｂ  Ａ／Ｄ変換回路、７ｃ  最大レベル検出回路、７ｄ〜７ｇ通過レベル算出回路。
【図１】
2004251655.tif 000003
【図２】
2004251655.tif 000004
【図３】
2004251655.tif 000005
【図４】
2004251655.tif 000006
【図５】
2004251655.tif 000007
【図６】
2004251655.tif 000008
【図７】
2004251655.tif 000009
【図８】
2004251655.tif 000010